(57)【要約】【解決手段】  粘着テープを供給するための装置であって、この装置が、特に、粘着テープ巻体展開可能な支持のための軸を備える、粘着テープ巻体のための収容部と、および、粘着テープ部分を引き裂くための引き裂き補助装置、有利には刃とを有しており、その際、この粘着テープ巻体のための収容部が、少なくとも部分的に、有利には机板、等の上に置くためのスタンドケーシングとして形成されているケーシング内において格納されている様式の上記装置において、基本的に交換可能にこのケーシングに保持される板要素として形成されている、少なくとも１つの、このケーシングのための覆い体が設けられている。
2008512327.tif 000002
【特許請求の範囲】
【請求項１】
粘着テープを供給するための装置であって、この装置が、
特に、粘着テープ巻体展開可能な支持のための軸を備える、粘着テープ巻体のための収容部と、および、
粘着テープ部分を引き裂くための引き裂き補助装置、有利には刃とを有しており、その際、この粘着テープ巻体のための収容部が、少なくとも部分的に、
有利には机板、等の上に置くためのスタンドケーシングとして形成されているケーシング内において格納されている様式の上記装置において、
基本的に交換可能にこのケーシングに保持される板要素として形成されている、少なくとも１つの、このケーシングのための覆い体が設けられていることを特徴とする装置。
【請求項２】
板要素は、ケーシングに沿って、固定可能に、および再び解離可能に設けられていることを特徴とする請求項１に記載の装置。
【請求項３】
板要素は、ケーシングに沿って、クリップ止め可能であるように構成されていることを特徴とする請求項２に記載の装置。
【請求項４】
板要素が、基本的に合成物質から形成されており、且つ、少なくとも１つの形状一体的な結合要素、及びクリップ要素が板要素に附設して形成されていることを特徴とする請求項３に記載の装置。
【請求項５】
ケーシングは、２つの互いに相対して位置している側方壁を有しており、これら側方壁が、基本的に、ほぼ垂直にそびえ立っており、且つ、基本的に、ほぼ、収納された粘着テープ巻体の巻体面に対して平行に整向されていること、および、
それぞれのこれら側方壁が、これら側方壁の外側面の上に、それぞれに１つの覆い体を有していること、
を特徴とする請求項１から４のいずれか一つに記載の装置。
【請求項６】
側方壁の外側面は、これら側方壁が上方へと傾斜して、ほぼ互いに向かい合って走り寄る程度の傾斜を有していることを特徴とする請求項５に記載の装置。
【請求項７】
側方壁は、これら側方壁の外側面において、および、同様に、所属して設けられた覆い体が、それぞれに、基本的にほぼ、平面状に塞がれている、倒立しているＵ字形の形状を有していることを特徴とする請求項５または６に記載の装置。
【請求項８】
覆い体は、軽度に凸状に外側にアーチ形にされた状態で形成されることを特徴とする請求項５から７のいずれか一つに記載の装置。
【発明の詳細な説明】
【技術分野】
【０００１】
本発明は、粘着テープを供給するための装置であって、この装置が、
特に、粘着テープ巻体展開可能な支持のための軸を備える、粘着テープ巻体のための収容部と、および、
粘着テープ部分を引き裂くための引き裂き補助装置、有利には刃とを有しており、その際、この粘着テープ巻体のための収容部が、少なくとも部分的に、
有利には机板、等の上に置くためのスタンドケーシングとして形成されているケーシング内において格納されている様式の上記装置に関する。
【背景技術】
【０００２】
このような冒頭に記載した様式の、特に卓上器具としての装置は、市場において良く知られている。
【０００３】
このような装置は、通常、変更のない状態で販売に供せられ、且つ、このようにして、使用者によって使用される。この装置が、機能しない場合、または、その他の理由から気に入らない場合、この装置は、廃棄処理される。収容部内における粘着テープ巻体を支持するための軸は、通常、この粘着テープ巻体内へと挿入され、且つ、次いでこの粘着テープ巻体が、この軸と共にこの収容部内へと装入される。この目的のために、この軸は、通常、軸状ピンを有しており、これら軸状ピンが、基本的にスリット形状に形成された軸状ピン支承部内に上方から挿入可能であり、且つ装入され得る。その後、この粘着テープ巻体の自由な端部の最初の端部分は、引き裂き補助装置に至るまで導かれ、且つ、自己粘着によって付着され、および、従って、粘着テープ部分の引き裂きのために、且つ、このために必要な、粘着テープ巻体の区間距離の（stueckweite）の展開が準備される。この装置のケーシングは、この工程によって、自体、基本的に手つかずの状態、および変更のない状態に留まる。この装置は、それぞれのどこでこの装置がまさに必要とされるかに応じて、単に必要のある場合にだけ、ある１つの場所から他の場所へと運ばれる。
このような様式の装置に関して、記載すべき先行技術文献情報はない。
【発明の開示】
【発明が解決しようとする課題】
【０００４】
従って、本発明の根底をなす課題は、装置のケーシングを、自体で、およびしかも、先ず第一に美的の観点で、第二にしかしながら場合によっては技術的または機能的な観点で造形可能にすることである。
【課題を解決するための手段】
【０００５】
この課題は本発明に従い、基本的に交換可能にこのケーシングに保持される板要素として形成されている、少なくとも１つの、このケーシングのための覆い体によって解決される。板要素の交換によって、このケーシングは、本発明により、有利に造形され、もしくは形を変えられ得る。特に、上記ことによって、このケーシングの外観を変化させること、有利には、その周囲環境内において優先的に利用されるべき該周囲環境に対して適合させることは可能である。例えば、本発明による装置を、色彩的に、バインダー、穿孔器、等のようなその他の事務用品に対して適合させるために、例えば異なる色彩の板要素が使用に供せられ得る。本発明による装置を、いわゆる「企業イメージの統一戦略」に対して適合ことも顧慮され得る。このことは、簡単な方法で、本発明による装置が、会社のシンボル色に対して適合され得ること、もしくは、会社のロゴ、等を備えられ得ることを意味する。このことは、この様式の装置が、例えば同様に広告用景品として譲与されるべき場合に、特に注目すべきである。
【発明の効果】
【０００６】
本発明により、単に覆い体だけが交換されねばならないことによって、本発明による装置は、基本的に、大量の状態において一貫して製造され得、このことは、相応するコスト利点をもたらす。この「個々の」覆い体は、そのうえ別途に準備され得る。最終消費者のために、例えば、本発明による装置を、同様に、覆い体の１つの品目の状態で、例えば異なる色でもって提供することも同様に顧慮され、従って、顧客はこの顧客の好ましい色を選択可能であり、且つ、この装置のための覆い体として使用可能である。例えば復活祭またはクリスマスのための、同様に季節的なモチーフも、例えば、これら覆い体の上に設けられ得る。これら相応する覆い体は、有利には、合成物質から製造される。有利には、３次元的な工具形状がこれら覆い体の場合にも単一であるので、同様に、これら覆い体は、大量の状態において安いコストで製造され得る。例えば、ただこの合成物質の着色だけが変化され、または、さもなければ同色の覆い体が、例えば適宜で十分な公知の技術でもって、モチーフを備えることは可能である。特に、上記のことによって、例えば、金属的、または木製的な印象も誘起され得る。
【０００７】
本発明による解決策は、更に、しかしながら同様に機能的な観点において有利である。例えば、本発明による装置は、たまには床へと落下し、且つこのことによって、例えば、亀裂または割れ目が発生するというやり方で、ケーシングが損傷される。このことによって、通常は、この装置の本来の機能が阻害されるのではなく、むしろ、ただこの装置の外見の立派さだけが阻害される。適当な覆い体の交換によって、これは修理され、且つ従って、この装置の耐用期間が総じて増大される。
【０００８】
本発明の次の更なる構成により、板要素が、ケーシングに沿って、固定可能に、および再び解離可能に設けられている。このことは、例えばねじのような、それ自体で公知の固定手段によって行なわれる。有利には、しかしながら、この板要素は、このケーシングに沿って、クリップ止め可能、即ち係止可能である。同様にこのことは、有利には、他方また特に簡単に材料としての合成物質でもって、実現され得る。特に、覆い体は、この方法で、この覆い体が、この装置の如何なる整向状態においても、再び落剥しないように装着され得る。
【０００９】
上記の目的のために、例えば、少なくとも１つの形状一体的な結合要素、及び／または、
クリップ要素が板要素に附設して形成されている。例えば、この板要素の上側の縁部において、この板要素を懸架するために一種のフック状体が附設して形成されており、且つ、下側の縁部において、この板要素の懸架の後にこの板要素をこのケーシングに添ってこのクリップ要素の自在性によって係止するための、クリップ要素が附設して形成されている。しかしながら、もちろん同様に、例えば点状の係止ピン、等も設けられ得る。
【００１０】
本発明の次の更なる構成により、ケーシングは、２つの互いに相対して位置している側方壁を有しており、これら側方壁が、基本的に、ほぼ垂直にそびえ立っており、且つ、基本的に、ほぼ、収納された粘着テープ巻体の巻体面に対して平行に整向されており、および、それぞれのこれら側方壁が、これら側方壁の外側面の上に、それぞれに１つの覆い体を有している。
【００１１】
本発明による装置の場合、ケーシングの主面体は、通常、２つの側方面体によって形成されており、これら側方面体が、基本的に、ほぼ、粘着テープ巻体に対して平行に整向されており、および、基本的に、垂直に延在しており、且つ、比較的に大きな長手方向延在を、その方向内において粘着テープが展開される、該方向における第１のライン内において有している。それ故に、本発明により優先的に、これら側方面体が、本発明により覆い体として形成されるべきである。
その際、この覆い体は、側方面体の全体にわたって延在しているのではなく、むしろ、この側方面体の、特に特徴のある領域を形成する。これら両方の側面のための覆い体は、同一に形成され得、従って、ただ１つだけの工具が必要である。
【００１２】
本発明の次の更なる構成により、側方壁の外側面は、これら側方壁が上方へと傾斜して、ほぼ互いに向かい合って走り寄る程度の傾斜を有している。特に、これら側方壁は、これら側方壁の外側面において、および、同様に、所属して設けられた覆い体が、それぞれに、基本的にほぼ、平面状に塞がれている、倒立しているＵ字形の形状を有している。これら覆い体は、即ち、特に、アーチ円弧状に形成されている。それに加えて、この覆い体は、軽度に凸状に外側にアーチ形にされた状態で形成されることは可能である。この様式の形状形成は、これら覆い体の安定性を、特に同様に床の上への衝突に対しても向上する。
【００１３】
実施例が図において図示されており、この実施例から同様に更なる発明的な特徴が与えられ、しかしながら、この実施例に、本発明は、この発明の範囲内において限定されていない。
【発明を実施するための最良の形態】
【００１４】
図１は、透視的な側面図において、本発明による装置、即ち、粘着テープを供給するための卓上器具を図示している。
【００１５】
図示された装置は、据置き面１、および、転開可能な粘着テープ巻体３を収容するための収容部２を有するスタンドケーシングから成っている。この収容部２は、基本的に、このスタンドケーシングの側方壁４の２つの部分の間に設けられている。このスタンドケーシングの前方壁５の上側の端部に、台座６の領域内において、詳細には図示されていない、この粘着テープ巻体３の粘着テープ部分７のための引き裂き補助装置が設けられている。その粘着テープ部分の自由な端部でもって、この台座の領域内において自己粘着によって付着されている、この該粘着テープ部分７は、捕捉され得る。この粘着テープ巻体３は、この粘着テープ部分７における引張りによって更に転開され得、且つ、その後この台座６を突出する自由な粘着テープ部分７が、この引き裂き補助装置を用いて引き裂かれ、その際、図１内において図示されているように、この粘着テープ巻体３に留まる粘着テープ部分７が、次いで再びこれに応じて延在し、且つこの台座６の領域内において付着する。この粘着テープ巻体の展開のために、この収容部２内において、図１内において認識できない軸８（図３参照）が設けられている。
【００１６】
側方壁４の、中間の、アーチ円弧状の、且つそれぞれの側方壁４を特徴付ける隆起した領域は、取り外し可能な覆い体９として、基本的に板状に形成されている。それぞれの側方壁４のこの領域は、即ち、他の、または同一の覆い体９と交換され得、この覆い体が、例えば、他の色彩、他のモチーフ、及び／または幾分他の形状、例えば隆起部を有している。
【００１７】
図２は、図１に従う装置の前面図を示している。同じ構造要素は、図１内における、および同様に残りの図におけると同じ参照数字でもって、符号を付けられている。
【００１８】
図２内において、特に、覆い体９の凸状に外へとアーチ状にされた成形状態が認識可能である。
【００１９】
図３は、図１に従う装置の背面図を示している。この図内において、他方また、覆い体９、並びに、その軸の軸状ピンでもって軸支承スリット１０内に挿入された軸８が、側方から認識可能である。
【００２０】
図４は、図１に従う装置の平面図を示している。
【００２１】
図５は、図１に従う装置の下面図を示している。この下面図内において、特に、覆い体９のクリップ要素即ち係止要素１１が認識可能であり、これらクリップ要素即ち係止要素でもって、この覆い体９は、この装置の下側面１に固定されている。特に、この眺望において、同様に、この覆い体９が、基本的に、板状に形成されていることが認識可能である。
【００２２】
図６は、覆い体９を透視図において示している。この眺望において、同様に、係止要素１１の構成、および形状も、比較的に精確に認識可能である。
【００２３】
図７は、図６に従う覆い体９の内側図を示している。
【００２４】
図８は、図６に従う覆い体９の側面図を示している。
【００２５】
図９は、図６に従う覆い体９の平面図を示している。特に、この眺望において、同様に、軸８のためのスリット１０の始端部も認識可能である。特に、この平面図内において、図４と比較によって、装置のどの領域が、覆い体９の構成要素であるかが認識可能である。
【００２６】
図１０は、覆い体９の下面図を示している。
【図面の簡単な説明】
【００２７】
【図１】透視的な側面図における、本発明による装置の図である。
【図２】前面図における、図１に従う装置の図である。
【図３】背面図における、図１に従う装置の図である。
【図４】平面図における、図１に従う装置の図である。
【図５】下面図における、図１に従う装置の図である。
【図６】図１〜５に従う、装置の取り外された覆い体の透視的な側面図である。
【図７】図６に従う覆い体の内側図である。
【図８】図６に従う覆い体の側面図である。
【図９】図６に従う覆い体の平面図である。
【図１０】図６に従う覆い体の下面図である。
【図１】
2008512327.tif 000003
【図２】
2008512327.tif 000004
【図３】
2008512327.tif 000005
【図４】
2008512327.tif 000006
【図５】
2008512327.tif 000007
【図６】
2008512327.tif 000008
【図７】
2008512327.tif 000009
【図８】
2008512327.tif 000010
【図９】
2008512327.tif 000011
【図１０】
2008512327.tif 000012
【国際調査報告】
2008512327.tif 000013
2008512327.tif 000014
2008512327.tif 000015
2008512327.tif 000016